(57)【要約】【課題】  利用者の視覚を煩わせることなく、装置の動作の制御操作を支援する。【解決手段】  リモコン３００におけるキーが押下されると、当該キーの押下という操作入力情報が装置本体２００へ送られる。引き続き、操作入力情報を受けた装置本体２００が、操作入力情報に対応する処理を行うとともに、操作入力情報の受信確認と、次の操作において押下可能なキーの情報である操作可能キー情報とを、返送情報として返送する。返送情報を受けたリモコン３００では、制御ユニットが、操作可能キー情報に従って駆動部を制御し、操作可能なキーを含むキーブロックのキーのみをシャーシ部材から突出させる。【選択図】  図１０
2008152598.tif 000002
【特許請求の範囲】
【請求項１】
装置本体と；
前記装置本体の動作を制御するための操作入力が行われる操作入力手段と；を備え、
前記操作入力手段は、
複数のキーにおける少なくとも１つのキーがグループ化されたキーグループ、及び、前記キーグループに属するキーを支持するキーブロック支持部材を有する少なくとも１つのキーブロックと；
前記複数のキーの配置位置に対応してキー開口が形成されたシャーシ部材と；
前記キーブロックのうちから予め選択されている少なくとも１つの制御対象キーブロックごとに、前記制御対象キーブロックにおけるキーと前記制御対象キーブロックに対応する前記シャーシ部材のキー開口形成部分とを相対的に移動させ、前記制御対象キーブロックにおけるキーが前記キー開口からの突出したキー突出状態と、前記制御対象キーブロックにおけるキーが前記シャーシ部材内に収納されたキー収納状態とを切り換える駆動手段と；
前記複数のキーのいずれかが押下された場合に、押下されたキーの情報を前記装置本体へ送るとともに、前記装置本体から送られた前記押下されたキーの情報の受信確認を受けた場合に、前記駆動手段を制御して、次に押下されることに意味があるキーを有する制御対象キーブロックにおけるキーを、対応する前記キー開口から突出させるとともに、次に押下されることに意味があるキーを有しない制御対象キーブロックにおけるキーを前記シャーシ部材内に収納させる制御手段と；を備え、
前記装置本体は、前記操作入力手段から前記押下されたキーの情報を受けた場合に、前記受信確認を前記操作入力手段へ返送する操作入力処理手段を備える、
ことを特徴とする装置。
【請求項２】
前記制御対象キーブロックの数は、複数である、ことを特徴とする請求項１に記載の装置。
【請求項３】
前記駆動手段は、前記制御対象キーブロックの前記キーブロック支持部材を駆動する、ことを特徴とする請求項１又は２に記載の装置。
【請求項４】
前記シャーシ部材は、前記キーブロックのそれぞれに対応するキーブロックシャーシ部材を備え、
前記駆動手段は、前記制御対象キーブロックに対応するキーブロックシャーシ部材を駆動する、
ことを特徴とする請求項１又は２に記載の装置。
【請求項５】
前記受信確認には、前記制御対象キーブロックのそれぞれに関して、次に押下されることに意味があるキーを有するか否かを示すキー利用情報が含まれる、ことを特徴とする請求項１〜４のいずれか一項に記載の装置。
【請求項６】
前記制御手段は、前記受信確認を受けた場合に、前記制御対象キーブロックのそれぞれに関して、次に押下されることに意味があるキーを有するか否かを判断する、ことを特徴とする請求項１〜４のいずれか一項に記載の装置。
【請求項７】
前記操作入力手段は、前記装置本体との間で無線通信を行うリモートコンロール手段である、ことを特徴とする請求項１〜６のいずれか一項に記載の装置。
【請求項８】
装置本体と、複数のキーを利用して行われた操作入力の情報を前記装置本体へ報告する操作入力手段とを備える装置において実行される操作入力支援方法であって、
前記複数のキーのいずれかが押下された場合に、前記操作入力手段が、押下されたキーの情報を前記装置本体へ送るキー情報送信工程と；
前記押下されたキーの情報を受けた前記装置本体が、前記押下されたキーの情報の受信確認を前記操作入力手段へ返送する受信確認返送工程と；
前記受信確認を受けた操作入力手段が、予め定められた少なくとも１つの制御対象キーブロックの内で、次に押下されることに意味があるキーを有する制御対象キーブロックのキーを、前記操作入力手段のシャージ部材におけるキー開口から突出させるとともに、次に押下されることに意味があるキーを有しない制御対象キーブロックのキーを前記シャーシ部材内に収納するキー利用制御工程と；
を備えることを特徴とする操作入力支援方法。
【発明の詳細な説明】
【技術分野】
【０００１】
本発明は、操作入力により操作の制御が可能な装置及び操作入力支援方法に関する。
【背景技術】
【０００２】
従来から、装置本体に設けられたキーボードや、複数のキーが配設されたリモートコントロール装置（以下、単に「リモコン」ともいう）等の操作入力手段が付属しているテレビ受信装置やラジオ受信装置等の装置が広く普及している。こうした装置では、操作入力手段に配設されたキー押下操作をすることにより、装置本体における選局動作や音量調整を制御できるようになっている。
【０００３】
かかるキー操作による動作制御に際して、多くの装置においては、操作入力手段から装置本体への操作入力情報の送信のみを行うようになっている。このため、操作入力手段からの操作情報が装置本体に伝達されたか否かは、全て、装置本体の表示装置等を確認しなければならなかった。
【０００４】
こうした事態を改善するための技術として、操作入力手段であるリモコンからの操作情報が装置本体に伝達されたことをリモコンにおいて確認できる技術が提案されている（特許文献１参照：以下、「従来例」と呼ぶ）。この従来例の技術では、リモコンを操作すると、リモコンにおいて操作情報が装置本体に送られるとともに、操作内容が点滅表示される。リモコンから送られた操作情報を受けると、装置本体は、リモコンに受信確認を返送する。そして、受信確認を受けると、リモコンは、操作内容を点灯させるようになっている。
【０００５】
【特許文献１】特開平７−２３４７７号公報
【発明の開示】
【発明が解決しようとする課題】
【０００６】
上述した従来例の技術では、利用者が視覚を用いてリモコンにおける点滅表示から点灯表示に変化したことを確認することにより、リモコンから操作情報を送られた後に装置本体によって受け付けられたことが確認できる。しかしながら、車載の装置を運転中に操作する場合には、操作確認のために視覚を用いることは危険である。
【０００７】
このため、視覚を用いずに、リモコン等の操作入力手段から操作情報が送られた後に装置本体によって受け付けられたことの確認の支援をすることができる技術が待望されていた。かかる要請に応えることが、本発明が解決すべき課題の一つとして挙げられる。
【０００８】
本発明は、上記を鑑みてなされたものであり、利用者の視覚を煩わせることなく、操作入力手段を用いた装置の動作の制御操作を支援することができる装置及び操作入力支援方法を提供することを目的とする。
【課題を解決するための手段】
【０００９】
請求項１に記載の発明は、装置本体と；前記装置本体の動作を制御するための操作入力が行われる操作入力手段と；を備え、前記操作入力手段は、複数のキーにおける少なくとも１つのキーがグループ化されたキーグループ、及び、前記キーグループに属するキーを支持するキーブロック支持部材を有する少なくとも１つのキーブロックと；前記複数のキーの配置位置に対応してキー開口が形成されたシャーシ部材と；前記キーブロックのうちから予め選択されている少なくとも１つの制御対象キーブロックごとに、前記制御対象キーブロックにおけるキーと前記制御対象キーブロックに対応する前記シャーシ部材のキー開口形成部分とを相対的に移動させ、前記制御対象キーブロックにおけるキーが前記キー開口からの突出したキー突出状態と、前記制御対象キーブロックにおけるキーが前記シャーシ部材内に収納されたキー収納状態とを切り換える駆動手段と；前記複数のキーのいずれかが押下された場合に、押下されたキーの情報を前記装置本体へ送るとともに、前記装置本体から送られた前記押下されたキーの情報の受信確認を受けた場合に、前記駆動手段を制御して、次に押下されることに意味があるキーを有する制御対象キーブロックにおけるキーを、対応する前記キー開口から突出させるとともに、次に押下されることに意味があるキーを有しない制御対象キーブロックにおけるキーを前記シャーシ部材内に収納させる制御手段と；を備え、前記装置本体は、前記操作入力手段から前記押下されたキーの情報を受けた場合に、前記受信確認を前記操作入力手段へ返送する操作入力処理手段を備える、ことを特徴とする装置である。
【００１０】
請求項８に記載の発明は、装置本体と、複数のキーを利用して行われた操作入力の情報を前記装置本体へ報告する操作入力手段とを備える装置において実行される操作入力支援方法であって、前記複数のキーのいずれかが押下された場合に、前記操作入力手段が、押下されたキーの情報を前記装置本体へ送るキー情報送信工程と；前記押下されたキーの情報を受けた前記装置本体が、前記押下されたキーの情報の受信確認を前記操作入力手段へ返送する受信確認返送工程と；前記受信確認を受けた操作入力手段が、予め定められた少なくとも１つの制御対象キーブロックの内で、次に押下されることに意味があるキーを有する制御対象キーブロックのキーを、前記操作入力手段のシャージ部材におけるキー開口から突出させるとともに、次に押下されることに意味があるキーを有しない制御対象キーブロックのキーを前記シャーシ部材内に収納するキー利用制御工程と；を備えることを特徴とする操作入力支援方法である。
【発明を実施するための最良の形態】
【００１１】
以下、本発明の一実施形態を、図１〜図１０を参照して説明する。なお、以下の説明において、同一又は同等の要素には同一の符号を付し、重複する説明を省略する。
【００１２】
図１には、一実施形態に係る装置１００の概略的な構成が外観斜視図にて示されている。なお、装置１００は、音楽ＣＤ（Compact Disk）を再生するＣＤプレーヤ機能及びラジオ放送波を受信して音声出力を行うラジオ機能を有するものであるとして、以下の説明する。
【００１３】
図１に示されるように、装置１００は、装置本体２００と、操作入力手段としてのリモートコントロール装置（リモコン）３００とを備えている。ここで、リモコン３００は、シャーシ部材３９０と、複数のキーが配列された操作部３１０とを備えている。このリモコン３００については、後述する。
【００１４】
装置本体２００は、利用者によるキー操作に伴ってリモコン３００からの送信された操作入力情報であるキー入力データを受信する。そして、受信した操作入力情報が意味する利用者による指令に従って、装置１００の上述した機能の動作を行う。この装置本体２００は、図２に示されるように、操作入力処理手段としての操作入力処理部２１０と、機能処理部２２０とを備えている。
【００１５】
操作入力処理部２１０は、無線通信を利用したリモコン３００からの操作入力情報を受信し、受信した操作入力情報を解析する。そして、操作入力情報の解析結果から装置本体２００として行うべき動作を特定し、当該動作を行うべき指令を機能処理部２２０へ送る。
【００１６】
また、操作入力処理部２１０は、操作入力情報を受信すると、受信確認をリモコン３００へ返送する。また、操作入力処理部２１０は、操作入力情報の解析結果に基づいて、次に入力操作が可能なリモコン３００におけるキーの種類を特定する。そして、特定された操作可能キーの情報を操作可能キー情報として、リモコン３００へ送る。
【００１７】
機能処理部２２０は、操作入力処理部２１０からの動作指令に従って、ＣＤプレーヤ又はラジオ受信機として、様々な動作を行う。例えば、ＣＤプレーヤ機能又はラジオ機能のいずれかの機能の選択指令を操作入力処理部２１０から受けた場合には、選択指令に対応した機能モードによる動作を開始する。また、ＣＤ機能モードである場合に、「再生」、「早送り」、「早戻し」の指令を操作入力処理部２１０から受けた場合には、当該指令に対応した動作を行う。さらに、ＣＤ機能モードである場合に、選曲、音量調整等の指令を操作入力処理部２１０から受けた場合には、当該指令に対応した選曲処理、音量調整処理等の動作を行う。また、ラジオ機能モードである場合に、選局、音量調整等の指令を操作入力処理部２１０から受けた場合には、当該指令に対応した選局処理、音量調整処理等の動作を行う。
【００１８】
リモコン３００は、利用者によるキーの押下に応答して、無線通信を利用して操作入力情報を装置本体２００へ送るとともに、無線通信を利用して装置本体２００から送られてきた操作可能キー情報に従って、キーの利用可能制御を行う。このリモコン３００は、図３に示されるように、操作部３１０と、駆動手段としての駆動部３２０と、制御手段としての制御ユニット３３０とを備えている。
【００１９】
操作部３１０は、キーブロック３１１1、及び、制御対象キーブロックであるキーブロック３１１2，３１１3を備えている。キーブロック３１１j（ｊ＝１〜３）のそれぞれは、キーグループ３１２jと、キーブロック支持部材の一部としてのプリント基板３１３jと、キーブロック支持部材の一部としての基板ホルダ３１４jとを備えている。
【００２０】
なお、キーグループ３１２1におけるキーとしては、図４に示されるように、「ＣＤ機能指定（ＣＤ）」キー、「ラジオ機能指定（ＲＡＤＩＯ）」キー及び「キャンセル（ＣＡＮＣＥＬ）」キーの３つのキーがある。なお、「キャンセル」キーを長押しした場合には、装置本体３００の電源のＯＮ／ＯＦＦの指令となるようになっている。
【００２１】
また、キーグループ３１２2におけるキーとしては、「再生」キー、「早送り」キー及び「早戻し」キーの３個のキーがある。
【００２２】
また、キーグループ３１２3におけるキーとしては、数字（０〜９）キー、音量調整（＋，−）キーの１２個のキーがある。
【００２３】
プリント基板３１３jは、所定の導体パターンが形成されたプリント配線板であり、キーグループ３１２jが搭載される。このプリント基板３１３jから、キーグループ３１２jにおけるキーの押下に伴う信号が、制御ユニット３３０へ送られるようになっている。
【００２４】
基板ホルダ３１４jは、プリント基板３１３jを保持する。この基板ホルダ３１４jを駆動することにより、キーブロック３１１jの全体が駆動されるようになっている。
【００２５】
図３に戻り、駆動部３２０は、制御ユニット３３０による制御のもとで、制御対象キーブロックであるキーブロック３１１2及びキーブロック３１１3を、それぞれ独立にＺ軸方向（図１参照）に沿って駆動する。この駆動部３２０は、駆動ユニット３２１と、駆動ユニット３２２とを備えている。なお、キーブロック３１１1は、常時使用するキーを有するキーブロックであるため制御対象とはなっておらず、駆動部３２０による駆動は行わない。
【００２６】
駆動ユニット３２１は、制御ユニット３３０による制御のもとで、キーブロック３１１2をＺ軸方向に沿って駆動する。この駆動ユニット３２１は、図５（Ａ）に示されるように、基板ホルダ３１４2の−Ｚ方向側に配設された駆動器３２６1，３２６2と、バネ部材３２７とを備えている。
【００２７】
駆動器３２６1，３２６2は、基板ホルダ３１４2のＸ軸方向の両端部付近に配設されている。ここで、駆動器３２６1は、図５（Ｂ）及び図５（Ｃ）に示されるように、モータ部材３２８と、カム部材３２９とを備えている。ここで、モータ部材３２８は、シャーシ部材３９０に固定されている。モータ部材３２８が制御ユニット３３０による制御のもとで、Ｘ軸と並行な軸を中心軸として、カム部材３２９を回転させる。
【００２８】
バネ部材３２７は、基板ホルダ３１４2のＸ軸方向の中央部付近に配設されている。このバネ部材３２７の一方の端は基板ホルダ３１４2の−Ｚ方向側表面に固定されるとともに、他方の端はシャーシ部材３９０における基板ホルダ３１４2側の内面に固定される。そして、バネ部材３２７によって、基板ホルダ３１４2に−Ｚ方向の力が常に作用するようになっている。
【００２９】
駆動器３２６2は、駆動器３２６1と同様に構成されている。
【００３０】
上記のように構成された駆動ユニット３２１における駆動器３２６1，３２６2のモータ部材３２８の回転動作を、制御ユニット３３０が制御することにより、図５（Ｂ）に示されるように、キーブロック３１１2のキーグループ３１２2をシャーシ部材３９０内に収納したり、又、図５（Ｃ）に示されるように、キーブロック３１１2のキーグループ３１２2をシャーシ部材３９０から突出させたりすることができるようになっている。
【００３１】
駆動ユニット３２２は、制御ユニット３３０による制御のもとで、キーブロック３１１3をＺ軸方向に沿って駆動する。この駆動ユニット３２２は、上述の駆動ユニット３２１と同様に構成されている。
【００３２】
制御ユニット３３０は、操作部３１０からのキー押下に伴う信号を受けると、装置本体２００へ送るための操作入力情報を生成する。そして、制御ユニット３３０は、生成された操作入力情報を、無線通信を利用して、装置本体２００へ送る。
【００３３】
また、制御ユニット３３０は、装置本体２００から受信確認及び操作可能キー情報を受けると、受信内容を解析する。そして、その解析結果に基づいて、キーブロック３１１2又はキーブロック３１１3が操作可能キーを有する場合には、制御ユニット３３０は、駆動部３２０を制御して、操作可能キーを有するキーグループのキーをシャーシ部材３９０から突出させる。一方、キーブロック３１１2又はキーブロック３１１3が操作可能キーを有していない場合には、制御ユニット３３０は、駆動部３２０を制御して、操作可能キーを有していないキーグループのキーをシャーシ部材３９０内に収納させる。
【００３４】
以上のような制御ユニット３３０の制御により、図６に示されるキーグループ３１２1のみがシャーシ部材３９０から突出した状態、図７に示されるキーグループ３１２1，３１２2のみがシャーシ部材３９０から突出した状態を実現することができる。また、制御ユニット３３０の制御により、図８に示されるキーグループ３１２1，３１２3のみがシャーシ部材３９０から突出した状態、図９に示される全てのキーグループ３１２1〜３１２3がシャーシ部材３９０から突出した状態を実現することができる。
【００３５】
［動作］
次に、以上のように構成された装置１００の動作について、主に、リモコン３００を利用した操作入力時の動作に着目して説明する。なお、前提として、当初は、装置本体２００の電源がＯＦＦ状態にあるものとする。
【００３６】
装置本体２００の電源がＯＦＦ状態にある場合に、図１０のステップＳ１０1のステップＳ１１において、キーブロック３１１1の「キャンセル」キーが長押しされると、リモコン３００（より詳しくは、制御ユニット３３０）からは、操作入力情報として電源ＯＮの指令が装置本体２００へ向けて送られる。この電源ＯＮの指令は、装置本体２００によって受信される。
【００３７】
かかるリモコンからの操作入力情報を受けた装置本体２００は、ステップＳ１０1のステップＳ１２において、キー入力処理を実行する。この場合には、操作入力情報が電源ＯＮの指令であるので、ステップＳ１２においては、装置本体２００が、操作入力応答処理として、電源ＯＮ処理及び初期化処理を行う。かかる初期化処理において、装置本体２００は、操作入力情報の受信確認と、キーグループ３１２1の操作入力しか受け付けられない旨の操作可能キー情報とをリモコン３００へ向けて返送情報として送る。
【００３８】
この返送情報を受けたリモコン３００では、ステップＳ１３において、制御ユニット３３０が、操作可能キー情報に従って駆動部３２０を制御する。そして、リモコン３００において、キーグループ３１２1のみがシャーシ部材３９０から突出した、キーグループ３１２1のみが押下可能な状態（図６参照）が設定される。
【００３９】
以後、上記のステップＳ１１〜Ｓ１３と同様のステップを含むステップＳ１０2，…が、利用者によるキー押下がなされるたびに、実行される。例えば、キーグループ３１２1の一つである「ＣＤ」キーが押下された場合には、リモコン３００からＣＤモード開始の指令が操作入力情報として、装置本体２００へ送られる。引き続き、ＣＤモード開始の指令を受けた装置本体２００は、ＣＤモードの処理を開始するとともに、受信確認と、全てのキーグループ３１２1〜３１２3についての操作入力が受け付られる旨の操作可能キー情報とをリモコン３００へ向けて返送情報として送る。
【００４０】
この返送情報を受けたリモコン３００では、制御ユニット３３０が、操作可能キー情報に従って駆動部３２０を制御する。そして、リモコン３００において、キーグループ３１２1〜３１２3がシャーシ部材３９０から突出した、キーグループ３１２1〜３１２3が押下可能な状態（図９参照）が設定される。この結果、選曲、再生、音量調整等の操作が可能となる。以後、ＲＡＤＩＯキーが押下される等して、ＣＤモードが解除されるまで、こうしたキー利用状態が継続する。
【００４１】
また、キーグループ３１２1におけるの一つのキーである「ＲＡＤＩＯ」キーが押下された場合には、リモコン３００からラジオモード開始の指令が操作入力情報として、装置本体２００へ送られる。引き続き、ラジオモード開始の指令を受けた装置本体２００は、ラジオモードの処理を開始するとともに、受信確認と、キーグループ３１２1，３１２3のみについての操作入力が受け付られる旨の操作可能キー情報とをリモコン３００へ向けて返送情報として送る。
【００４２】
この返送情報を受けたリモコン３００では、制御ユニット３３０が、操作可能キー情報に従って駆動部３２０を制御する。そして、リモコン３００において、キーグループ３１２1，３１２3のみがシャーシ部材３９０から突出した、キーグループ３１２1，３１２3のみが押下可能な状態（図８参照）が設定される。この結果、選局、音量調整等の操作が可能となる。以後、ＣＤキーが押下される等して、ラジオモードが解除されるまで、こうしたキー利用状態が継続する。
【００４３】
以上説明したように、本実施形態では、リモコン３００におけるキーが押下されると、当該キーの押下という操作入力情報が装置本体２００へ送られる。引き続き、操作入力情報を受けた装置本体２００が、操作入力情報に対応する処理を行うとともに、操作入力情報の受信確認と、次の操作において押下可能なキーの情報である操作可能キー情報とを、返送情報として返送する。返送情報を受けたリモコン３００では、制御ユニット３３０が、操作可能キー情報に従って駆動部３２０を制御し、操作可能なキーを含むキーブロックのキーのみをシャーシ部材３９０から突出させる。したがって、利用者の視覚を煩わせることなく、リモコン３００を用いた装置本体２００の動作の制御操作を支援することができる。
【００４４】
また、本実施形態では、装置本体２００の動作状況に対応して、操作可能なキーを含むキーグループのキーのみをシャーシ部材３９０から突出させて、操作（押下）可能な状態とするので、キーの誤操作を有効に防止することもできる。さらに、利用者の触覚に訴えて操作支援を行うので、視覚障害がある利用者に対しても、有効な操作支援を行うことができる。
【００４５】
［実施形態の変形］
本発明は、上記の実施形態に限定されるものではなく、様々な変形が可能である。
【００４６】
例えば、上記の実施形態では、ＣＤプレーヤ機能及びラジオ機能を有する装置に本発明を適用したが、ＣＤプレーヤ機能のみを有する装置や、ラジオ機能のみを有する装置にも本発明を適用することができる。さらに、他の機能を有する装置についても本発明を適用することができる。
【００４７】
また、上記の実施形態では、リモコン３００を利用して操作入力を行うようにしたが、装置本体２００に固定された、又は、有線で接続されたキーボードを利用して操作入力を行う場合にも本発明を適用することができる。
【００４８】
また、上記の実施形態では、キーブロックの駆動にモータ部材、カム部材及びバネ部材を備える駆動ユニットを用いたが、駆動ユニットとしては、キーブロックの駆動を行うことができるものであれば、任意の構成を採用することができる。
【００４９】
また、上記の実施形態では、キーブロックを駆動することにより、キーの操作可能状態と操作不可能状態とを実現させるようにしたが、キーブロックに対応するシャーシ部材の部分を駆動するようにしてもよい。
【００５０】
また、上記の実施形態では、１つのキーグループに複数のキーが設けられていたが、１つのキーグループに１つのキーが設けられるようにしてもよい。
【図面の簡単な説明】
【００５１】
【図１】本発明の一実施形態に係る装置の外観構成を概略的に示す斜視図である。
【図２】図１の装置本体の構成を説明するためのブロック図である。
【図３】図１のリモコンの構成を説明するためのブロック図である。
【図４】図３の操作部におけるキー配列を説明するための図である。
【図５】図３の駆動部の構成を説明するための図である。
【図６】図３の駆動部による駆動により実現されるキーの状態を説明するための図（その１）である。
【図７】図３の駆動部による駆動により実現されるキーの状態を説明するための図（その２）である。
【図８】図３の駆動部による駆動により実現されるキーの状態を説明するための図（その３）である。
【図９】図３の駆動部による駆動により実現されるキーの状態を説明するための図（その４）である。
【図１０】図１の装置におけるキー操作に関連する処理を説明するためのシーケンス図である。
【符号の説明】
【００５２】
１００            …  装置
２００            …  装置本体
２１０            …  操作入力処理部（操作入力処理手段）
３００            …  リモコン（操作入力手段）
３１１1           …  キーブロック
３１１2，３１１3  …  キーブロック（制御対象キーブロック）
３１２1〜３１２3  …  キーグループ
３１３1〜３１３3  …  プリント基板（キーブロック支持部材の一部）
３１４1〜３１４3  …  基板ホルダ（キーブロック支持部材の一部）
３２０            …  駆動部（駆動手段）
３３０            …  制御ユニット（制御手段）
【図１】
2008152598.tif 000003
【図２】
2008152598.tif 000004
【図３】
2008152598.tif 000005
【図４】
2008152598.tif 000006
【図５】
2008152598.tif 000007
【図６】
2008152598.tif 000008
【図７】
2008152598.tif 000009
【図８】
2008152598.tif 000010
【図９】
2008152598.tif 000011
【図１０】
2008152598.tif 000012